(57)【要約】      （修正有）【課題】傾斜ブロックの傾斜面により昇降部材が上方に押し上げられて、昇降部材の先端水平面により、底面の高さが非常に低い重量物に対して、所望の機能を発揮できる機能を備えた楔型ジャッキを提供する。【解決手段】後端部が基台２上面の取付部２ａに回動可能に枢着されると共に、先端部が上下方向に昇降する昇降部材１を有し、該昇降部材１は楔形状になるように後端部から先端部に向けて傾斜面１ａが形成されており、プッシュロッド３により昇降部材１の先端部と基台２上面との上下方向の対応位置間隔を制御することにより昇降部材１によりに重量物の昇降を行えるようにし、プッシュロッド３の先端部には、先端部の厚みが薄くなるように傾斜面３１１を有する傾斜ブロック３１が連接され、該傾斜ブロック３１は昇降部材１の先端部と基台２上面との間に進退可能に配設される。【選択図】図１
0003126424.tif 000002
【実用新案登録請求の範囲】
【請求項１】
後端部が基台上面の取付部に回動可能に枢着されると共に、先端部が上下方向に昇降する昇降部材を有し、該昇降部材は楔形状になるように前記後端部から先端部に向けて傾斜面が形成されており、プッシュロッドにより前記昇降部材の先端部と基台上面との上下方向の対応位置間隔を制御することにより前記昇降部材によりに重量物の昇降を行えるようにしたことを特徴とする楔型ジャッキ。
【請求項２】
前記プッシュロッドの先端部には、先端部の厚みが薄くなるように傾斜面を有する傾斜ブロックが連接され、該傾斜ブロックは前記昇降部材の先端部と基台上面との間に進退可能に配設され、傾斜ブロックの進退移動に伴って傾斜ブロックの傾斜面により前記昇降部材を上下方向への昇降を行うようにしたことを特徴とする請求項１に記載の楔型ジャッキ。
【請求項３】
昇降部材の先端部に、前記基台上面と平行となる先端水面部が設けられていることを特徴とする請求項２に記載の楔型ジャッキ。
【請求項４】
前記傾斜ブロックの底面が、前記基台上面に密着し、プッシュロッドによって摺動されるようになっていることを特徴とする請求項１又は２に記載の楔型ジャッキ。
【考案の詳細な説明】
【技術分野】
【０００１】
本考案は、楔型ジャッキに関し、特に、ジャッキの昇降部材の先端側が基台と楔形状になるように傾斜した状態に配設され、昇降部材後端側が基台に上下方向の回動自在に枢着され、昇降部材と基台上面との間には先端側の厚さが薄くなった傾斜面を有する傾斜ブロックが配設され、傾斜ブロックの後部にはプッシュロッドの先端が連結され、プッシュロッドの進退移動に伴って、先端部が昇降部材の裏面と基台上面との間に滑り込み、傾斜ブロックの傾斜面により昇降部材が上方に押し上げられて、昇降部材の先端水平面により荷物が載置されたパレットなどを昇降する機能を備えたものに関する。
【背景技術】
【０００２】
ジャッキは、重量物をリフトする設備であり、従来の設計において、シザーや油圧式ジャッキであっても、操作する時には、まず、ジャッキの昇降部材を重量物の下方に入れ込んでから、動力出力（スクリューによる螺旋前進や、油圧機構による前進がある）により昇降部材のリフトを制御し、昇降部材が上方へ昇降変位することで上方の重量物をリフトする。
【０００３】
しかしながら、従来のジャッキの設計においては、昇降部材が所定の高さを有し、その上方に受取盤が設けられており、プッシュロッドの前進により、昇降部材が上方へ変位する。そのため、リフトされる重量物は底部に受取盤を配置する所定の空間が必要である。受取盤を配置しなければ、受取盤で重量物に下方から上方への力を付勢することができず、ジャッキ操作が面倒である。        
したがって、上述のような従来のジャッキにあっては、底面の高さが非常に低い重量物に対して、所望の機能を発揮できないという問題点がある。
【考案の開示】
【考案が解決しようとする課題】
【０００４】
本考案はジャッキの昇降部材の先端側が、基台と楔形状になるように傾斜した状態に配設され、昇降部材後端側が基台に上下方向の回動自在に枢着され、昇降部材と基台上面との間には先端側の厚さが薄くなった傾斜面を有する傾斜ブロックが配設され、傾斜ブロックの後部にはプッシュロッドの先端が連結され、プッシュロッドの進退移動に伴って、先端部が昇降部材の裏面と基台上面との間に滑り込み、傾斜ブロックの傾斜面により昇降部材が上方に押し上げられて、昇降部材の先端水平面により、底面の高さが非常に低い重量物に対して、所望の機能を発揮できる機能を備えた楔型ジャッキを提供することを目的とする。
【課題を解決するための手段】
【０００５】
請求項１の考案は、後端部が基台上面の取付部に回動可能に枢着されると共に、先端部が上下方向に昇降する昇降部材を有し、該昇降部材は楔形状になるように前記後端部から先端部に向けて傾斜面が形成されており、プッシュロッドにより前記昇降部材の先端部と基台上面との上下方向の対応位置間隔を制御することにより前記昇降部材によりに重量物の昇降を行えるようにしたことを特徴とする。
【０００６】
請求項２の考案は、請求項１に記載の楔型ジャッキにおいて、前記プッシュロッドの先端部には、先端部の厚みが薄くなるように傾斜面を有する傾斜ブロックが連接され、該傾斜ブロックは前記昇降部材の先端部と基台上面との間に進退可能に配設され、傾斜ブロックの進退移動に伴って傾斜ブロックの傾斜面により前記昇降部材を上下方向への昇降を行うようにしたことを特徴とする。
【０００７】
請求項３の考案は、請求項１に記載の楔型ジャッキにおいて、昇降部材の先端部に、前記基台上面と平行となる先端水面部が設けられていることを特徴とる。
【０００８】
請求項４の考案は、請求項１又は２に記載の楔型ジャッキにおいて、  前記傾斜ブロックの底面が、前記基台上面に密着し、プッシュロッドによって摺動されるようになっていることを特徴とする。
【考案の効果】
【０００９】
本考案は上記構成を備えているので、次のような効果が得られる、
１．本考案に係わるジャッキは、昇降部材と基台とにより楔形状に形成し、また、昇降部材と基台との間に、プッシュロッドによって連動される傾斜ブロックが設置されるため、昇降部材が、楔形状の設計により、簡単に底面の高さが非常に低い重量物の下方に入り込み、また、プッシュロッドの傾斜ブロックが昇降部材の下方に滑り込むことにより、傾斜ブロックの傾斜によって昇降部材が持ち上げられて重量物をリフトすることができると共に、幅広く適用される。
２．従来のジャッキによって底面の高さが非常に低い重量物を昇降する場合には、一旦本考案の楔型ジャッキにより、底面の低い重量物を所定の高さまでリフトしてから、従来のジャッキにより操作しリフトすることが可能であり、協働して使用することができることで、従来のジャッキの使用範囲が制限される問題を解決できる。
【考案を実施するための最良の形態】
【００１０】
以下、本考案に係る楔型ジャッキについて、最良の形態の実施例について図面を基に説明する。
【実施例】
【００１１】
図１は、本考案の楔型ジャッキの一実施例を示す全体斜視図である。
本考案の楔型ジャッキは、先端部に楔形状になるように基台２の上面に立設された取付部２ａに回動可能に枢着され、先端側に向かって傾斜面１ａを有し、上下方向に昇降できる昇降部材１（図１参照。操作レバーが３６０度回転可能である状態で、ユーザーは何れの場所でもスムーズに操作できる）が設けられている。
また、前記昇降部材１の後部側には、油圧シリンダなどの駆動機構５によって駆動されるプッシュロッド３が設置されており、プッシュロッド３の先端側には昇降部材１の下方に進退可能に摺動位置する傾斜ブロック３１が連接されている。
【００１２】
前記昇降部材１は、前記傾斜ブロック３１を覆う状態で、ジャッキの動力により、プッシュロッド３が進退変位する時（油路制御弁４がまず油路出力の位置まで進む）、それとともに、傾斜ブロック３１が、図２、図４に示すように、昇降部材１の下方に侵入し、昇降部材１が傾斜ブロック３１の傾斜面３１１によって押されることにより、昇降部材１の先端部１１が上方へ向かって上昇する。これにより、昇降部材１によりリフトする目的が達成される（この時、油路制御弁４を閉鎖状態にすることにより、負荷が掛かった時の安全性が確保される）。
【００１３】
逆に、プッシュロッド３を戻す場合には、油路制御弁４を操作して油路回油の位置にし、操作レバーを操作することにより少しずつ回油して昇降部材１の下面に位置する傾斜ブロックを後退させることで、昇降部材１を下降制御する目的が実現される。
【００１４】
昇降部材１が基台２に対して楔形状設計であるため、昇降部材１の先端部１１が、底面の高さが非常に低い重量物の下方（隙間のような間隔でも）に容易に入り込みが可能で、ジャッキのリフト機能（図４）を発揮でき、或いは、所定の高さまでリフトした後には、従来のジャッキを使用して更にリフトすることができる。
【００１５】
本考案に係わるジャッキの昇降部材１は、先端部１１に基台２と平行するための先端水平面１２が設けられても良く、このように構成することにより、重量物の下方に入り込んだ時、より大きい負荷面積を提供でき、リフト時の安定状態が向上される。
【００１６】
また、本考案に係わる傾斜ブロック３１は、底面が基台２の上面に接触した状態で配設されていて、プッシュロッド３によって進退可能に駆動されるようになっていて、基板２をリフトする時に重力を安定的に負荷できる（図５）。
【００１７】
本考案は、上記の説明から分かるように、本考案に係わる昇降部材１が、楔形状になるように先端側に向かって傾斜面１ａをなすように基台２の取付部２ａに枢着され、また、上下方向に回動昇降できる状態であるため、昇降部材１の先端部１１の高さが基台２より僅かに高くなっているだけであるため、従来のジャッキが入れない隙間にも容易に入り込んでリフトすることができる。
【００１８】
上述の実施例は、ただ、本考案の一実施例を示したに過ぎず、本考案に従って行うプッシュロッド３により楔形状状態である昇降部材１の先端部１１と基台２によるリフトを制御するものは、全てが、本考案の実用新案登録請求の範囲内に含まれる。
【図面の簡単な説明】
【００１９】
【図１】本考案の楔型ジャッキの一実施例を示す全体斜視図。
【図２】図１の動作状態を示す部分拡大図。
【図３】図１の動作状態を示す全体斜視図。
【図４】本考案の楔型ジャッキの使用状態を示す参考図。
【図５】本考案の楔型ジャッキの一実施例を示す反対側より見た全体斜視図。
【符号の説明】
【００２０】
１        昇降部材
１ａ      傾斜面
１１      先端部
１２      先端水平部
２        基台
２ａ      取付部
３        プッシュロッド
３１      傾斜ブロック
３１１    傾斜面
４        油路制御弁
【図１】
0003126424.tif 000003
【図２】
0003126424.tif 000004
【図３】
0003126424.tif 000005
【図４】
0003126424.tif 000006
【図５】
0003126424.tif 000007